(57)【特許請求の範囲】
【請求項１】
読取対象として原稿とコンタクトガラスに向けてばね付勢され前記原稿を案内する所定の濃度のガイド板とを含み、前記読取対象からの光を画像信号に変換するためにライン状に配列された受光素子と、
前記ライン状に配列された前記受光素子のうち、両端または一端に位置する受光素子が読み取った前記ガイド板の画像信号の出力値を計測することにより、前記ガイド板から前記受光素子までの距離を測定する距離測定手段と、
前記距離測定手段によって測定された前記距離に応じて、両端または一端に位置する受光素子以外の受光素子が読み取った前記原稿の画像信号に対して所定の補正処理を行う画像補正手段と、
を備えることを特徴とする画像読取装置。
【請求項２】
前記距離測定手段は、前記ガイド板の浮き上がり量を測定することにより、前記距離を測定する請求項１に記載の画像読取装置。
【請求項３】
前記画像補正手段は、両端または一端に位置する受光素子から前記ガイド板までの距離が所定範囲より長い場合に前記原稿の画像信号に施す強調処理と、該距離が所定範囲より短い場合に前記原稿の画像信号に施す平滑処理の、少なくとも一方の処理を行う請求項１又は２に記載の画像読取装置。
【請求項４】
前記画像補正手段は、両端または一端に位置する受光素子から前記ガイド板までの距離が所定範囲より長い場合に前記原稿の画像信号に対して強調処理を施す請求項１又は２に記載の画像読取装置。
【請求項５】
前記原稿の厚さ又は種類を検知する原稿検知手段を備え、
前記画像補正手段は、前記原稿検知手段によって検知された前記原稿の厚さ又は種類と、前記距離測定手段によって測定された前記距離とに基づいて、前記原稿の画像信号に対して前記補正処理を行う請求項１ないし４のいずれか１項に記載の画像読取装置。
【発明の詳細な説明】
【技術分野】
【０００１】
本発明は画像読取装置に関するものである。
【背景技術】
【０００２】
従来から、ファクシミリ、コピー機、スキャナもしくはこれらの複合機には、原稿の読取を行うための画像読取装置が搭載されている。この種の画像読取装置には、原稿を自動的に搬送してその原稿の画像をイメージセンサに読み取らせるＡＤＦ（オートドキュメントフィーダ）読取機構や、原稿を原稿台に押し付けた状態でイメージセンサを移動させて画像を読み取るＦＢ（フラットベッド）読取機構がある。ＡＤＦ読取機構は、コンタクトガラスの上に原稿を自動的に搬送し、このコンタクトガラスの反対側から原稿に光を照射し、その反射光をイメージセンサによって読み取ることにより、原稿の画像を画像信号として取り出す。このようなＡＤＦ読取機構を備えた画像読取装置としては例えば下記特許文献１が開示されている。
【特許文献１】特開２００１−５６５１５号公報
【発明の開示】
【発明が解決しようとする課題】
【０００３】
ＡＤＦ読取機構は、コンタクトガラスに向けてばね付勢されたガイド板を備え、そのガイド板とコンタクトガラスの間を原稿が搬送される。ここで光沢紙のようにコシのある原稿を搬送すると、ガイド板が持ち上がり、原稿が浮き上がってしまうことがある。特に、イメージセンサとして密着型イメージセンサを用いる場合は焦点距離が短いため、原稿が僅かに浮き上がってもピントが合わなくなり、画像の解像度が悪化する。
【０００４】
また、画像読取装置を小型化しようとすると、原稿搬送経路の曲率が小さくなるため、原稿のコシによってガイド板が浮き上がりやすくなる。そのためピントが合わなくなり、画像の解像度が悪化しやすくなる。
【０００５】
本発明は上述のような事情を背景になされたもので、特に、光沢紙のようにコシのある原稿を読み取った場合でも、原稿の浮き上がりに起因する解像度の悪化を防止できる画像読取装置を提供することを課題とする。
【課題を解決するための手段および発明の効果】
【０００６】
請求項１記載の発明は、
読取対象として原稿とコンタクトガラスに向けてばね付勢され前記原稿を案内する所定の濃度のガイド板とを含み、前記読取対象からの光を画像信号に変換するためにライン状に配列された受光素子と、
前記ライン状に配列された前記受光素子のうち、両端または一端に位置する受光素子が読み取った前記ガイド板の画像信号の出力値を計測することにより、前記ガイド板から前記受光素子までの距離を測定する距離測定手段と、
前記距離測定手段によって測定された前記距離に応じて、両端または一端に位置する受光素子以外の受光素子が読み取った前記原稿の画像信号に対して所定の補正処理を行う画像補正手段と、
を備えることを特徴とする画像読取装置である。
また、請求項２に記載の発明は、
前記距離測定手段は、前記ガイド板の浮き上がり量を測定することにより、前記距離を測定する画像読取装置である。
【０００７】
上記発明によると、読取対象からの光を画像信号に変換する、ライン状に配列された受光素子を備える。ここで読取対象とは、原稿やガイド板など、受光素子によって読み取る対象となるものを指す。受光素子と原稿は相対移動され、これにより原稿の画像が読み取られ、画像信号が出力される。
【０００８】
また、上記発明は、読取対象から受光素子までの距離を測定する距離測定手段と、測定された距離に応じて、画像信号に補正処理を行う画像補正手段を備える。原稿（読取対象）が浮き上がると受光素子から原稿までの距離が変わるためピントが合わなくなり、画像の解像度が低くなるが、上記発明によると、読取対象から受光素子までの距離に応じて、画像信号に補正処理が施されるため、解像度の高い画像を得ることができる。
【００１０】
さらに、上記発明によると、ライン状に配列された受光素子の一部を使って、読取対象までの距離を測定する。受光素子は、読取対象までの距離が変化すると、画像信号の出力値が変化する特性がある。例えば、ピントの最も合う位置に読取対象があると出力値は高くなり、読取対象が遠ざかるに従って出力値は低くなる。この特性を用いることにより、画像信号の出力値から、読取対象までの距離を求めることができる。このようにすれば、読取対象までの距離を検出するためのセンサー等を別途設ける必要がない。
【００１２】
また、イメージセンサの主読取方向の長さは、原稿の幅より長くされている。そのため原稿の読み取り時に、受光素子の端の部分が使用されず余る。この余った受光素子を利用して、受光素子から読取対象までの距離を測定することができる。
【００１４】
上記発明によると、原稿の読み取りに使用されない受光素子を使って、ガイド板を読み取ることにより、原稿の浮き上がり量を測定している。すなわち、原稿が浮き上がると、ガイド板も一緒に浮き上がる。受光素子にガイド板（通常、白色にされている）を読み取らせ、画像信号の出力値を計測することにより、受光素子からガイド板までの距離を測定することができ、原稿の浮き上がり量を間接的に測定できる。
【００１５】
なお、原稿の白い部分を読み取って浮き上がり量を測定することもできるが、原稿によって色のばらつきがあるため、正確ではない。しかしガイド板の色は一定なので、このような問題が無い。
【００１６】
請求項３記載の発明は、
前記画像補正手段は、両端または一端に位置する受光素子から前記ガイド板までの距離が所定範囲より長い場合に前記原稿の画像信号に施す強調処理と、該距離が所定範囲より短い場合に前記原稿の画像信号に施す平滑処理の、少なくとも一方の処理を行う画像読取装置である。
【００１７】
上記発明によると、読取対象が浮いている時に行う強調処理と、読取対象が浮いていない時に行う平滑処理の、少なくとも一方の処理を行う。これにより、解像度の高い画像を得ることができる。
【００１８】
請求項４記載の発明は、
前記画像補正手段は、両端または一端に位置する受光素子から前記ガイド板までの距離が所定範囲より長い場合に前記原稿の画像信号に対して強調処理を施す画像読取装置である。
【００１９】
上記発明によると、読取対象が浮き上がった時に強調処理が施されるため、画像の解像度を上げることができる。
【００２０】
請求項５記載の発明は、
前記原稿の厚さ又は種類を検知する原稿検知手段を備え、
前記画像補正手段は、前記原稿検知手段によって検知された前記原稿の厚さ又は種類と、前記距離測定手段によって測定された前記距離とに基づいて、前記原稿の画像信号に対して前記補正処理を行う画像読取装置である。
【００２１】
ガイド板を読み取ることにより原稿の浮き量を測定する場合、原稿の厚さが厚い場合と薄い場合とで、受光素子から原稿の表面までの距離が変わってくる。そのため、画像に適切な補正処理を施すことができないことがある。そこで、原稿の厚さを検知する手段を設け、ガイド板までの距離と原稿の厚さを用いて、画像の補正量を決めるとよい。これにより、厚めの原稿を読み取った時でも適切な補正処理を行うことが可能になる。
【発明を実施するための最良の形態】
【００２２】
次に、本発明に係る画像読取装置の実施形態を、図面を参照しつつ説明する。
図１は、本発明の画像読取装置１０が組み込まれた複合機１の外観図であり、図２はその断面図である。複合機１は例えば、ＦＡＸ機能、スキャナ機能、コピー機能を備えた装置として構成される。複合機１は、ＡＤＦ（オートドキュメントフィーダ）原稿セットトレイ３、原稿ガイド５、紙送りローラ７ａ〜７ｄ、コンタクトガラス１１、イメージセンサ２１、ガイド板１２、ガイド板１２をばね付勢するばね部材１３からなるＡＤＦ読み取り機構を備えている。また、これに加えて、ＦＢ（フラットベッド）押さえ板１７とガラス製のＦＢ原稿台１９と、前述のイメージセンサ２１を含むＦＢ読み取り機構をも備えている。
【００２３】
ＡＤＦ読み取り機構によって画像を読み取る場合は、図２（Ａ）に示すように、ＡＤＦ原稿セットトレイ３上に原稿４をセットして読み取り開始を指令することにより、紙送りローラ７ａ〜７ｄが回転して原稿４が搬送され、ガイド板１２とコンタクトガラス１１の間を通過する。すると、コンタクトガラス１１の直下にあるイメージセンサ２１が、コンタクトガラス１１を介して原稿４の画像を読み取る。これに対し、ＦＢ読み取り機構によって画像を読み取る場合は、図２（Ｂ）に示すように、ＦＢ原稿台１９の上に原稿Ｂを置き、ＦＢ押さえ板１７で原稿ＢをＦＢ原稿台１９に押し当てた状態として読み取り開始を指令することにより、イメージセンサ２１が図示矢印のように移動しつつ、原稿Ｂの画像の読み取りを実行する。
【００２４】
また、原稿ガイド５の下部には基準白板１６が設けられている。この基準白板１１はイメージセンサ２１の白基準の調整をするためのものである。
【００２５】
次に、図３（Ａ）のブロック図について説明する。このように、複合機１の本体内部に含まれるメインボード２８は、ＣＰＵ３０，ＲＡＭ３１，ＲＯＭ３２，ゲートアレイ３３，ＮＣＵ（Network  Control  Unit：網制御装置）３４，モデム３５，ＥＥＰＲＯＭ３６，コーデック３７，ＤＭＡＣ（Direct  Memory  Access  Controller）３８などを含んで構成されている。これらの部品はバスライン２６により相互に接続されている。バスライン２６には、アドレスバス、データバス、および制御信号線が含まれる。また、ゲートアレイ３３にはイメージセンサ２１、記録部２２、操作部２３、表示部２４および外部接続部２５が接続されている。ＮＣＵ３４には、公衆電話回線２７が接続されている。
【００２６】
ＲＡＭ３１はＣＰＵ３０の作業領域や読み取った画像の展開領域などのためにラインバッファメモリとして用いられる。モデム３５は、ファクシミリデータの変調や復調などを行なう。ＥＥＰＲＯＭ３６は各種のフラグや設定情報などを記憶している。一方、ゲートアレイ３３はＣＰＵ３０とイメージセンサ２１等の各部との入出力インターフェースとして機能する。コーデック３７はファクシミリデータの符号化や復号化を行なう。ＤＭＡＣ３８は、主にＲＡＭ３１へのデータの書き込みや読み出しを行なう。
【００２７】
記録部２２はレーザプリンタなどであり、記録紙に対して画像を記録する機能を備えるものである。操作部２３は、使用者により押下された操作ボタンに対応して操作信号をＣＰＵ３０に伝えるためのものである。また、原稿４の厚さや種類を設定する際にも用いられる。表示部２４は、ＬＣＤ（Liquid  Crystal  Display：液晶表示ディスプレイ）などを備えており、複合機１の動作状態などを表示する。外部接続部２５は、複合機１に対してパーソナルコンピュータなどの外部機器を接続する際に用いられる。
【００２８】
ＲＯＭ３２には、図３（Ｂ）に示すように距離測定プログラム３２ａ、画像補正プログラム３２ｂ、原稿検知プログラム３２ｃ、コピー制御プログラム３２ｄ、ＦＡＸ制御プログラム３２ｅ、スキャナ制御プログラム３２ｆなどの各種プログラムが記憶されている。距離測定プログラム３２ａは、読取対象から受光素子までの距離を測定するプログラムである。また、画像補正プログラム３２ｂは、距離測定プログラム３２ａによって測定された距離に応じて、画像信号に対して所定の補正処理を行うためのプログラムである。原稿検知プログラムは、原稿４の厚さ又は種類を検知するためのプログラムである。例えば、原稿４の厚さ又は種類をユーザが設定できるようにされており、その設定入力を受け付けることにより、原稿４の厚さ又は種類を検知する。または、センサを設けておき、そのセンサからの情報に基づいて、原稿４の厚さ又は種類を検知する。これら距離測定プログラム３２ａ、画像補正プログラム３２ｂ、原稿検知プログラム３２ｃをＣＰＵ３０が実行することにより、本発明の距離測定手段、画像補正手段、原稿検知手段がそれぞれ実現される。なお、コピー制御プログラム３２ｃ、ＦＡＸ制御プログラム３２ｄ、スキャナ制御プログラム３２ｅは、それぞれコピー機能、ＦＡＸ機能、スキャナ機能を制御するためのプログラムである。
【００２９】
図４に示すように、イメージセンサ２１は、受光素子２０が形成されたセンサＩＣチップ２を基板１４上に複数個配置した構造となっている。受光素子２０は、主走査方向（図２の紙面と直行する方向）に一定間隔を隔ててライン状に配置されている。また、センサＩＣチップ２はＢ１〜Ｂ５の５つのブロックに分けられている。
【００３０】
センサＩＣチップ２および基板１４は、図５に示すように、ＬＥＤ等からなる光源１５と、導光部４６と、レンズアレイ４７とともに、フレーム４９内に収められている。光源１５は赤、緑、青の光をそれぞれ発する発光素子１５Ｒ，１５Ｇ，１５Ｂからなり、白色光を取り出せるようになっている。光源１５から放射した光は導光部４６、コンタクトガラス１１を通り、原稿４を照射する。原稿４によって反射した光はコンタクトガラス１１、レンズアレイ４７を通り受光素子２０に到る。反射光を受光した受光素子２０は画像信号を出力し、その画像信号はコネクタ１８、フレキシブルフラットケーブル３９を通ってメインボード２８へ送信される。
【００３１】
図１４に示すように、イメージセンサＩＣチップ２は、例えば数千個程度の受光素子２０を構成する周知のフォトトランジスタＰＴ１〜ＰＴｎを備えている。これらのフォトトランジスタＰＴ１〜ＰＴｎは光を受けると、その受光量に対応した電荷を蓄える。このイメージセンサＩＣチップ２自体の基本的な回路構成は、従来のものと同様である。
【００３２】
図１５のように、ゲートアレイ３３は、ＣＰＵ３０の統括的な制御の下に、イメージセンサ２１に対してスタートパルスＳＰおよびクロック信号ＣＬＫ等を供給するＣＩＳ制御ブロック４３、サンプルホールド回路（Ｓ／Ｈ）４０，マルチプレクサ４１，およびアナログ・デジタル変換器（Ａ／Ｄ）４２によって構成されるアナログフロントエンド（ＡＦＥ）回路、そのＡＦＥ回路に各種制御信号を送るアナログフロントエンド（ＡＦＥ）制御ブロック４４、アナログ・デジタル変換器４２から出力されたデジタル信号をサンプリングして、ＲＡＭ３１に含まれる画像メモリの所定領域に順次書き込むメモリ書込み制御ブロック４５などが設けられている。
【００３３】
スタートパルスＳＰは、ブロックＢ１，Ｂ５に関してはイメージセンサＩＣチップ２ａ、２ｋに入力され、ブロックＢ２〜Ｂ４に関しては、それぞれ左のイメージセンサＩＣチップ２（２ｂ，２ｅ、２ｈ）に入力されるようになっている。図１４に示すように、例えばブロックＢ２の中央のイメージセンサＩＣチップ２（２ｃ）は、左のイメージセンサＩＣチップ２（２ｂ）の端子Ｐ４からシリアルアウト信号ＳＯが出力され、且つこれがスタートパルスＳＰとして入力されることによりその駆動を開始するようになっている。他のブロックＢ３，Ｂ４のイメージセンサＩＣチップ２も同様な構成になっており、３つのブロックＢ２〜Ｂ４のいずれにおいても左のイメージセンサＩＣチップ２（２ｂ，２ｅ，２ｈ）の駆動を終えた後に、中央のイメージセンサＩＣチップ２（２ｃ，２ｆ，２ｉ）が駆動を開始するようになっている。その駆動が終了した後、右のイメージセンサＩＣチップ２（２ｄ，２ｇ，２ｊ）が駆動を開始する。なお、ゲートアレイ３３から送出されるクロック信号ＣＬＫは、１１個のイメージセンサＩＣチップ２（２ａ〜２ｋ）のそれぞれに分かれて入力されるようになっている。
【００３４】
使用者の操作部２３の操作に基づいて原稿４の読み取り動作が開始されると、ゲートアレイ３３から出力されるスタートパルスＳＰが端子Ｐ１に入力され、シフトレジスタ２９は、端子Ｐ２に入力されるクロック信号ＣＬＫに基づいて複数のＦＥＴ１〜ＦＥＴｎを一定の方向に順次オン状態としていく。すると、複数のフォトトランジスタＰＴ１〜ＰＴｎに蓄えられていた電荷は一定の順序で放出されていき、増幅器Ｏｐによって増幅されてから端子Ｐ３から画像信号ＡＯとしてシリアル出力される。この画像信号ＡＯは、アナログ信号である。イメージセンサＩＣチップ２は、最終のフォトトランジスタＰＴｎから画像信号が出力された時点でシリアルアウト信号ＳＯを出力する端子Ｐ４も備えている。その他、イメージセンサＩＣチップ２は、このイメージセンサＩＣチップ２内の各部を動作させるのに必要な駆動電力を供給するための電圧ＶＤＤ印加用端子Ｐ５や、グランドＧＮＤ接続用の端子Ｐ６も備えている。
【００３５】
例えばブロックＢ２では、スタートパルスＳＰがイメージセンサＩＣチップ２ｂの端子Ｐ１に入力されると、クロック信号ＣＬＫに基づいて端子Ｐ３から画像信号ＡＯが出力される。クロック信号ＣＬＫによってＦＥＴｎがオン状態となった後、すなわちイメージセンサＩＣチップ２ｂが画像信号ＡＯの出力を終了した後に、端子Ｐ４からシリアルアウト信号ＳＯが出力され、イメージセンサＩＣチップ２ｃのスタートパルスＳＰとして入力される。その後、同様にしてイメージセンサＩＣチップ２ｃのシリアルアウト信号ＳＯが出力され、イメージセンサＩＣチップ２ｄのスタートパルスＳＰとして入力される。そして、イメージセンサＩＣチップ２ｄの画像信号が出力端子ＣＨ２から出力される。
【００３６】
図１５において、イメージセンサ２１の５個のブロックＢ１〜Ｂ５の各出力端子ＣＨ１〜ＣＨ５から出力されるアナログの各読み取り信号は、フレキシブルフラットケーブル３９を経由してゲートアレイ３３に送られ、サンプルホールド回路４０において各画像信号が所定の出力レベルに安定するまで一時保存される。その後、ＡＦＥ制御ブロック４４の指令に基づいて順次アナログ・デジタル変換が行なわれる。
【００３７】
図５に戻る。上述したようにガイド板１２は、ばね部材１３によって付勢されている。普通紙のようにコシの弱い紙を搬送する場合は、図５（Ａ）に示すようにピントの合う位置を原稿４が通るため、解像度の高い画像が得られる。しかしながら、インクジェット紙のようにコシの強い原稿を搬送すると、ばね部材１３の弾性力が原稿のコシに負け、図５（Ｂ）に示すように原稿４がガイド板１２とともに浮き上がってしまう。図５（Ｂ）では浮き上がりにより、受光素子２０から原稿４までの距離Ｌが、図５（Ａ）よりも長くなっている。この状態では受光素子２０でピントが合わなくなり、画像の解像度が低下する。
【００３８】
この問題は、画像読取装置の大きさを小型化すると特に顕著に表れる。装置を小型化すると搬送経路の曲率が小さくなるため、コシの強い（曲がりにくい）原稿４を搬送した時に、ガイド板１２が特に浮き上がりやすくなるのである。
【００３９】
原稿４の浮き上がり量は、受光素子２０の一部を使って測定することができる。図６に示すように、コンタクトガラス１１は原稿の幅よりも長く形成されている。そのため原稿４がコンタクトガラス１１を通過する時、受光素子２０の一部（ライン状に配列されている受光素子２０の両端または一端に位置する受光素子２０）は原稿４の読み取りに使用されない。この、原稿４の読み取りに使用されない受光素子２０を使って、ガイド板１２を読み取る。
【００４０】
図７（Ａ）は、ガイド板１２の浮き上がり量と、そのガイド板１２を読み取った受光素子２０からの画像信号の出力比との関係を表したグラフである。ガイド板１２からコンタクトガラス１１表面までの距離を横軸にとり、受光素子２０からの画像信号の出力を、距離＝０．０ｍｍでの出力で割った値を縦軸にした。このグラフを見ると、距離＝０．０ｍｍ（ガイド板１２がコンタクトガラス１１に接触した状態）での出力比は１．０であり、ガイド板１２が浮き上がると出力比が若干、高くなることが分かる。また、距離＝０．２ｍｍ付近をピークとして、それよりも浮き上がると出力比が減少することが分かる。
【００４１】
原稿４が搬送される時に受光素子２０の一部を使ってガイド板１２を読み取り、画像信号の出力を計測すれば、図７（Ａ）の関係から、ガイド板１２の浮き上がり量を求めることができる。そして、ガイド板１２の浮き上がり量に応じて、原稿４の読取画像に対して所定の補正処理を施す。
【００４２】
図８に示すように、Ａ４サイズの原稿４を読み取る場合には、上述したブロックＢ２〜Ｂ４が画像の読み取りに用いられ、Ｃｈ２〜Ｃｈ４から画像信号が出力される。また、Ｂ２，Ｂ４の一部およびＢ１，Ｂ５の受光素子２０はガイド板１２の浮き上がり量の測定に用いられる。一方、Ａ３サイズの原稿４を読み取る場合には、ブロックＢ１〜Ｂ５の受光素子２０が画像の読み取りに用いられ、Ｃｈ１〜Ｃｈ５から画像信号が出力される。そして、ブロックＢ１，Ｂ５の一部の受光素子２０がガイド板１２の浮き上がり量の測定に用いられる。
【００４３】
強調処理や平滑処理には、周知の方法が用いられる。例えば図９（Ａ）に示すようなフィルタを予め用意しておき、これと図９（Ｂ）の画素データ値（受光素子２０から出力される画像信号）を用いて図９（Ｃ）の演算を行う。フィルタの数値を変更することにより、強調や平滑の度合いを変えることができる。すなわち、原稿４の浮き上がり量に応じて異なるフィルタを用いることにより、任意の強調処理または平滑処理を施すことができる。なお、図９（Ａ）の例では３×３のフィルタを用いたが、必要に応じて５×５のフィルタや、７×７のフィルタなど任意のものを用いることができる。
【００４４】
図１０は、ＡＤＦ読取機構によって原稿４を読み取る時の、ガイド板１２の断面図である。原稿４が搬送されてくると、まず図１０（Ａ）に示すように、原稿４の先端がコンタクトガラス１１とガイド板１２の間を通る。この時は、ばね部材１３の力によってガイド板１２及び原稿４が押さえつけられており、解像度の高い画像が得られる。その後、図１０（Ｂ）のように原稿４の中央部分が通ると、原稿４のコシによってガイド板１２が浮き上がり、ピントが合わなくなる。そして、図１０（Ｃ）のように原稿４の後端が通過する時には、原稿４は再び押し付けられ、解像度の高い画像が得られる。
【００４５】
原稿４の浮き上がり量に応じて、画像の補正量を変えるとよい。上述の例では、例えば図１０（Ｂ）のように、原稿４の浮き上がり量（受光素子２０から原稿４までの距離）が所定範囲より長い場合に強調処理を施し、図１０（Ａ），図１０（Ｃ）のように、所定範囲より短い場合に平滑処理を施す。原稿４の浮き上がり量が所定範囲内の場合は、強調処理も平滑処理も行わないようにする。これにより、解像度が全体的に均一な画像を得ることができる。
【００４６】
一方、図１１（Ａ）に示すように原稿４の厚さが薄い場合は、ガイド板１２の表面と原稿４の表面が略同じ高さにあるため、ガイド板１２の浮き量だけを考慮して画像の補正量を決めればよいが、図１１（Ｂ）のように原稿４の厚さが厚い場合は、ガイド板１２の浮き量だけを考慮して補正量を決めると、ピントが合わなくなることがある。そのため、原稿４の厚さを設定できるようにしておき、ガイド板１２の浮き上がり量と、原稿４の厚さを用いて、画像の補正量を決めるとよい。
【００４７】
原稿４の厚さは、ユーザが操作部２３（図１参照）を使って設定することができる。また、原稿４の厚さを検知するためのセンサを設けておき、自動的に検知するようにしてもよい。
【００４８】
さらに、原稿４の種類を設定できるようにしておき、例えばインクジェット紙や光沢紙などの、コシの強い原稿４が設定されたことを条件として、画像の補正処理を行うようにしてもよい。
【００４９】
図１６に示すように、原稿４の種類と厚さを対応付けたテーブル５０を予め記憶しておくこともできる。そして、原稿４の種類をユーザが設定できるようにする。設定された原稿４の種類に対応する厚さをテーブル５０から読み出し、ガイド板の浮き上がり量と、原稿４の厚さとを使って画像の補正量を決める。このようにすると、ユーザが原稿の厚さを知らなくても、画像の補正を正確に行うことが可能になる。なお、テーブル５０は、例えばＲＯＭ３２に記憶することができる。
【００５０】
次に図１２，図１３を用いて、画像読取装置１０のフローチャートの説明をする。まずステップＳ１において、イメージセンサ２１を基準白板１６（図２参照）の位置に移動し、Ｓ２で光量調整を行う。その後、各色白黒レベルデータ読み込み（Ｓ３）及び各色シェーディングデータの算出（Ｓ４）を行い、白基準の調整をする。そしてＳ５に移り、イメージセンサ２１をＡＤＦ読取位置（コンタクトガラス１１の下）に移動させ、Ｓ６でガイド板１２の読み取りを行う。Ｓ６の処理により、原稿４が搬送されていない状態でガイド板１２を読み取った時の、画像信号の出力値が得られる。
【００５１】
その後Ｓ７に移り、原稿４の搬送を開始する。そしてＳ８では、原稿４の浮き上がり量の検出と、浮き上がり量に応じた補正処理の決定（強調パラメータの算出）を行う。
【００５２】
図１３を用いて、Ｓ８を詳細に説明する。まずＳ１１では、どの受光素子２０を用いてガイド板１２を読み取るかという情報などの、各種設定値が入力される。そしてＳ１２では、原稿４が搬送されている状態でガイド板１２を読み取り、画像信号の出力値を取得する。また、原稿４の画像読取も同時に行われる。ここでは例えば、ライン状に配列された受光素子２０のうち、中央に位置する受光素子２０によって原稿４の画像読取が行われ、両端に位置する受光素子２０によってガイド板１２の読み取りが行われる。
【００５３】
その後Ｓ１３に移り、原稿の浮き量を検出する。ここでは、原稿４を搬送していない時にガイド板１２を読んだ時の出力値（Ｓ６で取得）と、原稿４を搬送している時にガイド板１２を読んだ時の出力値（Ｓ１２で取得）とを用いて出力比を求め、例えば、出力比＞１の場合は原稿４の浮きが有り、出力比＜１の場合は原稿４の浮きが無い、と判断する。
【００５４】
その後Ｓ１４に移り、強調パラメータの算出を行う。ここでは、例えば図７（Ｂ）に示す強調パラメータテーブルを予め用意しておき、原稿４の浮きが有るか無いかで強調パラメータを変える。例えば、強調処理用のフィルタ（図９（Ｅ）参照）を選択したり、平滑処理用のフィルタ（図９（Ｄ）参照）を選択したりする。
【００５５】
なお、Ｓ１３では、図７（Ａ）のグラフを予め記憶しておき、そのグラフと得られた出力比とを用いて、原稿４が何ｍｍ浮き上がったのかを算出してもよい。そして強調処理または平滑処理を施すための、複数個のフィルタを用意しておき、Ｓ１４において、原稿４の浮き上がり量に応じてフィルタを選択するようにしてもよい。
【００５６】
図１２に戻る。以上のように強調パラメータを算出した後、Ｓ９に移り、原稿４の画像信号に対して補正処理を施す。その後、Ｓ１０では、次頁が存在するか否かを判断する。ここでＹｅｓの場合はＳ７に戻り、次の原稿４の読み取りを行う。
【図面の簡単な説明】
【００５７】
【図１】本発明に係る画像読取装置を備えた複合機
【図２】（Ａ）ＡＤＦ読取機構を稼動している時の動作説明図（Ｂ）ＦＢ読取機構を稼動している時の動作説明図
【図３】（Ａ）複合機のブロック構成図（Ｂ）ＲＯＭの記憶領域
【図４】イメージセンサの斜視図
【図５】イメージセンサの断面図
【図６】ＡＤＦ原稿台およびＦＢ原稿台の平面図
【図７】（Ａ）原稿の浮き上がり量と、画像信号の出力比との関係（Ｂ）強調パラメータテーブルの例
【図８】イメージセンサのブロックと原稿の位置関係を示す図。
【図９】強調処理を説明するための図
【図１０】ガイド板およびコンタクトガラスの断面図。
【図１１】厚い原稿を用いた場合の説明図。
【図１２】画像読取装置のフローチャート
【図１３】強調パラメータを算出するためのフローチャート
【図１４】イメージセンサの詳細機構を示す図。
【図１５】イメージセンサからの信号の流れを示す図。
【図１６】原稿の種類と厚さを対応付けたテーブルの例。
【符号の説明】
【００５８】
１  複合機
２  イメージセンサＩＣチップ
１０  画像読取装置
１１  コンタクトガラス
１２  ガイド板
１５  光源
１７  ＦＢ原稿押さえ板
１９  ＦＢ原稿台
２０  受光素子
２１  イメージセンサ
３２ａ  距離測定プログラム
３２ｂ  画像補正プログラム
３２ｃ  原稿検知プログラム
【図１】
0004411613.tif 000002
【図２】
0004411613.tif 000003
【図３】
0004411613.tif 000004
【図４】
0004411613.tif 000005
【図５】
0004411613.tif 000006
【図６】
0004411613.tif 000007
【図７】
0004411613.tif 000008
【図８】
0004411613.tif 000009
【図９】
0004411613.tif 000010
【図１０】
0004411613.tif 000011
【図１１】
0004411613.tif 000012
【図１２】
0004411613.tif 000013
【図１３】
0004411613.tif 000014
【図１４】
0004411613.tif 000015
【図１５】
0004411613.tif 000016
【図１６】
0004411613.tif 000017